(57)【要約】【課題】現在表示している時刻の信頼性を判定して信頼性に応じて時刻の表示態様を変更することが可能な表示装置を提供する。【解決手段】外部から時刻情報を受信する受信部２２と、表示部３２と、前記時刻情報に基づいて時刻補正される計時部２４と、計時部２４の時刻を表示部３２に表示する制御部１２と、を備え、制御部１２は、計時部２４が時刻補正されてからの時間に基づき計時部２４の時刻の信頼性を判定し、前記信頼性に応じて、表示部３２の表示態様を変更する。【選択図】図１
2012112888.tif 000002
【特許請求の範囲】
【請求項１】
外部から時刻情報を受信する受信部と、
表示部と、
前記時刻情報に基づいて時刻補正される計時部と、
前記計時部の時刻を前記表示部に表示する制御部と、
を備え、
前記制御部は、前記計時部が時刻補正されてからの時間に基づき前記計時部の時刻の信頼性を判定し、前記信頼性に応じて、前記表示部の表示態様を変更することを特徴とする表示装置。
【請求項２】
前記時刻補正されてからの時間は、前記制御部が前記時刻情報の受信を検出してからの時間であることを特徴とする請求項１記載の表示装置。
【請求項３】
前記時刻補正されてからの時間は、前記制御部が前記時刻補正を検出してからの時間であることを特徴とする請求項１記載の表示装置。
【請求項４】
前記外部とは、ＧＰＳ衛星であり、前記時刻補正されてからの時間は、前記制御部が４つ以上の前記ＧＰＳ衛星から時刻情報を含む電波信号の受信を検出してからの時間であることを特徴とする請求項１記載の表示装置。
【請求項５】
前記表示部の表示形態を変更するとは、当該表示部に表示される時刻とともに付加情報を表示する、当該表示部に表示される時刻とともに囲い線を表示する、当該表示部に表示される時刻のフォントを変更する、当該表示部に表示される時刻の文字の大きさを変更する、当該表示部に表示される時刻の文字の色を変更する、当該表示部に表示される時刻とともに下線を表示する、のうちの少なくとも一つを含むことを特徴とする請求項１〜４のいずれか１項に記載の表示装置。
【発明の詳細な説明】
【技術分野】
【０００１】
本発明は、ＧＰＳ信号や電波信号に含まれている時刻情報を用いて時刻補正を行ない、現在時刻を表示する表示装置に関するものであり、特に、現在表示している時刻の信頼性を判定して信頼性に応じた現在時刻の表示が可能な表示装置に関するものである。
【背景技術】
【０００２】
一般に、ナビゲーション装置などの電子機器には内部時計（電子時計）が備えられており、現在時刻の表示やスケジュール管理などに幅広く利用されている。特に、ナビゲーション装置においては、この電子時計を用いることによって測位時刻に基づく移動経路や経過時間の把握（走行中のＧＰＳ測位を所定時間毎に行なった履歴（移動経路）を、途中の測位（通過）位置での時刻とともに表示）といった付加的情報を取得することが可能となる。
【０００３】
ところで、一般的に電子時計に使用されている水晶発振器の発振周波数は、時刻の計数単位と正確に合致したものではないため、時刻に誤差が生じることが知られている。このため、近年では、外部から正確な時刻情報（タイムコード）を含む電波信号、例えば、ＧＰＳ信号を受信し、この信号を用いて装置内の電子時計を修正することができる機能を備えた電子機器が提案されている。
【０００４】
例えば、下記特許文献１（特開平８？１５４６３号公報）に開示された時計の時刻修正装置では、ＧＰＳ衛星が内蔵する原子時計に合致するように自動的に時刻修正を行い、例えば車両に搭載されている時計の信頼性を確実に確保することが示されている。
【先行技術文献】
【特許文献】
【０００５】
【特許文献１】特開平８？１５４６３号公報
【発明の概要】
【発明が解決しようとする課題】
【０００６】
しかしながら、上記特許文献１に開示された時計の時刻修正装置は、外部からの電波を用いて時刻を補正するので、長期間当該電波を受信できなければ、時刻補正が行なえないため、一般的な時計と同様に時刻に誤差が生じてしまう。
【０００７】
また、上記特許文献１に開示された時計の時刻修正装置のような外部から電波を用いて時刻が補正される装置を使用しているユーザは、表示時刻を外部からの電波によって常に補正された正確なものと考えるため、時刻補正が行なわれずに誤差が生じたままの時刻を正しい時刻と認識してしまう恐れがある。
【０００８】
本発明は、上記の問題点を解消することを課題とするものであり、外部からの電波を用いて補正された時刻を表示する表示装置において、現在表示している時刻の信頼性を判定して信頼性に応じて時刻の表示様態を変更することができる表示装置を提供することを目的とするものである。
【課題を解決するための手段】
【０００９】
前記課題を解決するために、本願の請求項１にかかる発明は、外部から時刻情報を受信する受信部と、表示部と、前記時刻情報に基づいて時刻補正される計時部と、前記計時部の時刻を前記表示部に表示する制御部と、を備え、前記制御部は、前記計時部が時刻補正されてからの時間に基づき前記計時部の時刻の信頼性を判定し、前記信頼性に応じて、前記表示部の表示態様を変更することを特徴とする。
【００１０】
また、本願の請求項２にかかる発明は、請求項１にかかる発明において、前記時刻補正されてからの時間は、前記制御部が前記時刻情報の受信を検出してからの時間であることを特徴とする。
【００１１】
また、本願の請求項３にかかる発明は、請求項１にかかる発明において、前記時刻補正されてからの時間は、前記制御部が前記時刻補正を検出してからの時間であることを特徴とする。
【００１２】
また、本願の請求項４にかかる発明は、請求項１にかかる発明において、前記外部とは、ＧＰＳ衛星であり、前記時刻補正されてからの時間は、前記制御部が４つ以上の前記ＧＰＳ衛星から時刻情報を含む電波信号の受信を検出してからの時間であることを特徴とする。
【００１３】
また、本願の請求項５にかかる発明は、請求項１〜４の何れかにかかる発明において、前記表示部の表示形態を変更するとは、当該表示部に表示される時刻とともに付加情報を表示する、当該表示部に表示される時刻とともに囲い線を表示する、当該表示部に表示される時刻のフォントを変更する、当該表示部に表示される時刻の文字の大きさを変更する、当該表示部に表示される時刻の文字の色を変更する、当該表示部に表示される時刻とともに下線を表示する、のうちの少なくとも一つを含むことを特徴とする。
【発明の効果】
【００１４】
請求項１にかかる発明においては、外部から受信した時刻情報を用いて補正された時刻を表示する表示装置において、最後に時刻補正を行なってから所定時間以上経過すると、時刻の表示態様を変更する。ここで、最後に時刻補正を行なってから所定時間以上経過したか否かを判定するには、例えば、最後に時刻補正を行なった時刻を記憶したり、或いは時刻補正からタイマーをスタートさせたりすればよい。
【００１５】
このような構成によれば、最後に時刻補正を行なってから所定時間以上経過すると、すなわち、時刻補正が所定時間以上行なわれていなければ、表示時刻に誤差が含まれている可能性があるため、表示様態を変更することで、ユーザに誤差が含まれている可能性があることを認識させることができるようになる。
【００１６】
請求項２にかかる発明においては、請求項１にかかる発明において、前記時刻補正されてからの時間は、前記制御部が前記時刻情報の受信を検出してからの時間とする。これにより、最後に時刻情報の受信を検出してから所定時間以上経過すると、表示時刻に誤差が含まれている可能性があるため、表示様態を変更することで、ユーザに誤差が含まれている可能性があることを認識させることができるようになる。
【００１７】
請求項３にかかる発明においては、請求項１にかかる発明において、前記時刻補正されてからの時間は、前記制御部が前記時刻補正を検出してからの時間とする。これにより、最後に時刻補正を検出してから所定時間以上経過すると、表示時刻に誤差が含まれている可能性があるため、表示様態を変更することで、ユーザに誤差が含まれている可能性があることを認識させることができるようになる。
【００１８】
請求項４にかかる発明においては、請求項１にかかる発明において、前記外部とは、ＧＰＳ衛星であり、前記時刻補正されてからの時間は、前記制御部が４つ以上の前記ＧＰＳ衛星から時刻情報を含む電波信号の受信を検出してからの時間とする。これにより、最後に４つ以上のＧＰＳ衛星から時刻情報を含む電波信号の受信を検出してから所定時間以上経過すると、表示時刻に誤差が含まれている可能性があるため、表示様態を変更することで、ユーザに誤差が含まれている可能性があることを認識させることができるようになる。
【００１９】
請求項５にかかる発明においては、請求項１〜４のいずれか１項にかかる発明において、前記表示部の表示形態を変更するとは、当該表示部に表示される時刻情報とともに付加情報を表示する、当該表示部に表示される時刻情報とともに囲い線を表示する、当該表示部に表示される時刻情報のフォントを変更する、当該表示部に表示される時刻情報の文字の大きさを変更する、当該表示部に表示される時刻情報の文字の色を変更する、当該表示部に表示される時刻情報とともに下線を表示する、のうちの少なくとも一つを含む構成とする。これにより、ユーザに対して表示時刻に誤差が含まれている可能性があることを認識させる際に視認性を高めることができるようになる。
【図面の簡単な説明】
【００２０】
【図１】本発明の実施例１にかかるナビゲーション装置の要部構成を示すブロック図である。
【図２】本発明の実施例１にかかるナビゲーション装置の処理手順を示すフローチャートである。
【図３】本実施例装置の表示形態を示す図である。
【図４】本発明の実施例２にかかるＧＰＳ受信機の要部構成を示すブロック図である。
【発明を実施するための形態】
【００２１】
以下、本発明の具体例を実施例及び図面を用いて詳細に説明する。但し、以下に示す実施形態は、本発明の技術的思想を具体化するためのナビゲーション装置を例示するものであって、本発明をこのナビゲーション装置に特定することを意図するものではなく、特許請求の範囲に含まれるその他の実施形態の装置にも等しく適応し得るものである。
【実施例１】
【００２２】
図１は、本発明の実施例にかかるナビゲーション装置１０の要部構成を示すブロック図である。ナビゲーション装置１０は、車両に搭載され、車両の現在位置を示すマークを地図画像とともに表示部３２（ディスプレイ）に表示するとともに、現在位置または所望の出発地から目的地までの経路を探索して表示部３２（ディスプレイ）に表示することにより、ユーザが目的地まで走行するための支援を行うものである。
【００２３】
ナビゲーション装置１０は、制御部１２、ＧＰＳ受信機２０、時刻記憶部３０、表示部３２、画像データ記憶部３４、現在位置検出部３６、経路探索部３８、操作部４０、地図記憶部４２を備えて構成される。
【００２４】
制御部１２は、ＣＰＵ１４、ＲＯＭ１６およびＲＡＭ１８を備えて構成されており、ＲＯＭ１６および／またはＲＡＭ１８に記憶された制御プログラムをＣＰＵ１４が実行することにより、下記に説明する各部の動作を制御・統括する。また、制御部１２は、計時部２４が時刻補正されてからの時間に基づき計時部２４の時刻の信頼性を判定し、当該信頼性に応じて、表示部３２の表示態様を変更する表示制御手段として機能する。
【００２５】
ＧＰＳ受信機２０は、受信部２２、計時部２４、演算部２６およびアンテナ２８を備えて構成されている。受信部２２は、アンテナ２８を介して時刻情報を含む電波信号を受信し、復調・増幅するための増幅器やＡ／Ｄコンバータなどを備えており、本実施例におけるナビゲーション装置１０において受信部２２は、地球上空を周回している複数（例えば４つ）のＧＰＳ衛星からの時刻情報を含む電波信号を所定の時間間隔で受信するためのものである。
【００２６】
計時部２４は、時刻を計時するものであり、一般的な水晶発振器を用いた時計（クオーツ時計）で構成されている。計時部２４によって計時される時刻は経時とともに誤差を生じる可能性があるため、演算部２６により補正される。
【００２７】
演算部２６は、受信部２２により受信された電波信号に含まれている時刻情報に基づき、ＧＰＳ衛星の原子時計と内蔵時計（計時部２４）との時刻差（時刻誤差）を算出し、この時刻差に基づき計時部２４を補正する。なお、計時部２４が電子時計であれば、受信した時刻情報の時刻に計時部２４を補正する。
【００２８】
ＧＰＳ衛星の電波信号に基づいて時刻補正を行なう方法には、次の二つが考えられる。一つの方法は、４つ以上のＧＰＳ衛星から受信した電波信号に含まれる時刻情報に基づいて計時部２４を補正する。この場合、４つ以上のＧＰＳ衛星から電波信号を受信できなければ時刻補正が行えないが、正確な時刻に補正することができる（上記特許文献１参照）。もう一つの方法は、少なくとも１つのＧＰＳ衛星から受信した電波信号に含まれる時刻情報に基づいて計時部２４を補正する。すなわち、受信した時刻情報が示す時刻に計時部２４を補正する。この場合、１つのＧＰＳ衛星のみで時刻補正が行なえるので、計時部２４の時刻が大きくずれているときは有効だが、ＧＰＳ衛星から受信した時刻には送信時間分のずれが生じているため、誤った時刻に補正される可能性がある。
【００２９】
このため、ＧＰＳ衛星からの電波信号を用いた時刻補正は、基本的に４つ以上のＧＰＳ衛星からの電波信号を用いて行なわれているので、以下の説明においては、４つのＧＰＳ衛星からの電波信号を用いて計時部２４の補正を行なう場合について説明する。
【００３０】
なお、ＧＰＳ衛星からの電波信号に限らず、電波時計の電波信号に基づいて時刻補正を行なってもよい。この場合には、独立行政法人情報通信研究機構の日本標準時グループが管理運営を行なっている標準電波信号に含まれる時刻情報の時刻に計時部２４を合わせればよい。
【００３１】
さらに、ＧＰＳ衛星、又は、おおたかどや山標準電波送信所、はがね山標準電波送信所（日本の標準時刻送信所）から送信された電波信号は、鉄筋等の建物内や、ノイズの発生源が近くにある場合、受信することが困難となり、正確な時刻補正を行なうことができない。このため、外部からの時刻情報の受信は、有線あるいは無線を介してインターネットから行なってもよい。
【００３２】
計時部２４における時刻は、定期的に、例えば１秒毎に制御部１２へ出力される。ここで、受信部２２により４つのＧＰＳ衛星からの電波信号が受信できれば、演算部２６により補正された直後の時刻が正確な時刻として制御部１２へ出力され、長期間４つのＧＰＳ衛星からの電波信号が受信できないときは、かなり前に補正された計時部２４の正確ではない時刻が制御部１２へ出力されることになる。ここで、制御部１２へ時刻が出力される際に、当該時刻が補正した直後の時刻か否かを示す識別情報も含めてもよい。
【００３３】
また、ＧＰＳ受信機２０は、時刻を制御部１２へ出力する際に、受信部２２が現在何個のＧＰＳ衛星から電波信号を受信しているかを示す情報（受信レベル情報）も制御部１２へ出力する。制御部１２は、ＧＰＳ受信機２０から定期的に出力された計時部２４の時刻とともに受信した受信レベル情報に基づいて、４つのＧＰＳ衛星から電波信号を受信しているときの時刻をＧＰＳ受信機２０から受信すると、その時刻を時刻記憶部３０に記憶させる。
【００３４】
時刻記憶部３０は、時間計測のためのものであり、例えば、４つのＧＰＳ衛星から電波信号を受信したときの時刻（計時部２４の時刻）を記憶しておく。制御部１２は、ＧＰＳ受信機２０から定期的に出力される計時部２４の時刻（すなわち、現在時刻）と、時刻記憶部３０に記憶されている時刻を比較することで、最後に４つのＧＰＳ衛星から電波信号を受信したときからの時間を算出する。
【００３５】
この算出された時間は、計時部２４の時刻補正を行ってから経過した時間に相当するため、制御部１２は、この経過時間Ｘが所定時間に達していないと、計時部２４の時刻の信頼性が低下したとは判定せずにＧＰＳ受信機２０から定期的に出力された計時部２４の時刻を表示部３２に表示する際に、表示時刻の信頼性が低下していないことをユーザが視認できる表示態様で表示させる。一方、この経過時間Ｘが所定時間以上になると、計時部２４の時刻の信頼性が低くなったと判定してＧＰＳ受信機２０から定期的に出力された計時部２４の時刻を表示部３２に表示する際に、表示時刻の信頼性が低下していることをユーザが視認できる表示態様に変更して表示させる。
【００３６】
なお、所定時間は、時刻補正しない場合において計時部２４の時刻が誤差を生ずる時間であることが好ましく、計時部２４の精度に応じて所定時間は変更されてもよい。
【００３７】
また、経過時間Ｘが所定時間以上になる場合としては、ナビゲーション装置１０を長期間家庭内（建物内）のみで使用したため、ＧＰＳ電波信号が建物で遮断されＧＰＳ衛星からの電波信号を受信できない場合や、長期間ナビゲーション装置１０の電源をＯＦＦしていたため（ＧＰＳ受信機２０に電源供給がなされないため）、ＧＰＳ衛星からの電波信号を受信できない場合がある。（但し、電源ＯＦＦ時もバックアップ電源により計時部２４による時刻の計測は行なわれている）
表示部３２は、ＧＰＳ受信機２０から定期的に出力された計時部２４の時刻を表示し、ナビゲーション動作時には、現在位置検出部３６により検出した車両の現在位置、経路探索部３８により探索された案内経路、地図記憶部４２に記憶された地図情報に基づく地図画像等を表示する液晶表示パネルから構成される。
【００３８】
制御部１２は、最後に４つのＧＰＳ衛星から電波信号を受信したときの時刻と現在時刻とから算出された経過時間Ｘが所定時間に達していない場合には、ＧＰＳ受信機２０から定期的に出力された計時部２４の現在時刻を表示部３２に表示する際に、表示時刻の信頼性が低下していないことをユーザが視認できる表示態様として、例えば、現在時刻に『ＧＰＳ』という文字を付加情報として合わせて表示させる。一方、算出された経過時間Ｘが所定時間以上の場合には、ＧＰＳ受信機２０から定期的に出力された計時部２４の現在時刻を表示部３２に表示する際に、表示時刻の信頼性が低下していることをユーザが視認できる表示態様として、例えば、現在時刻を通常の黒文字から赤文字に変更して表示させる。
【００３９】
画像データ記憶部３４は、表示部３２に表示される現在時刻の表示態様を変更する際に用いられる付加情報、例えば、『ＧＰＳ』、『非時刻補正』といった文字データ、囲い線や下線といった図形データを記憶するためのものである。また、ゴシック文字といった文字の種類ごとのフォントデータを記憶してもよい。
【００４０】
現在位置検出部３６は、車両の現在位置を検出する。説明の簡略化のため、ＧＰＳ受信機２０と、現在位置検出部３６を別の構成として記載するが、現在位置検出部３６は、ＧＰＳ受信機２０を含んでおり、ＧＰＳ衛星からの電波信号に含まれている時刻情報および衛星位置情報に基づいて車両の現在位置を検出する。なお、現在位置検出部３６は、車両に搭載されているジャイロスコープ、加速度センサ等の自律航法手段を用いて車両の現在位置を検出するものであってもよい。
【００４１】
経路探索部３８は、ユーザが設定した出発地、目的地、経由地等の経路探索条件に従い、地図情報を参照して最適な経路を探索するものである。経路探索部３８は、出発地または現在位置に対応する道路のノードから、所望の経由地を経由して、目的地に対応するノードに至る間のリンクをダイクストラ法等の手法によって探索し、リンク長（リンクコスト）や所要時間を累積し、総リンク長（走行距離）または総所要時間が最短となる経路を探索する。
【００４２】
操作部４０は、経路探索を行うため、ユーザが出発地、目的地、経由地等の経路探索条件を入力するものである。
【００４３】
地図記憶部４２は、道路の分岐地点等の結節点をノードとする道路ノードデータと、それぞれのノード間を結ぶ経路をリンクとした道路リンクデータと、地形図データとを含む地図情報を記憶する地図データベースである。地形図データには、海岸線、湖沼、河川形状などの水系データ、行政境界データ、ガソリンスタンド、駐車場、ショッピングセンタ、美術館、その他のランドマークを含む施設名称、施設位置、施設形状、施設種別を含む情報が含まれる。
【００４４】
次に、以上のように構成されるナビゲーション装置１０の時刻表示処理について、図２のフローチャートおよび図３の説明図を用いて説明する。
【００４５】
まず、ＧＰＳ受信機２０の演算部２６は、受信部２２によりＧＰＳ衛星からの電波信号を受信できたか否かを判定する（ステップＳ０１）。受信部２２により４つのＧＰＳ衛星からの電波信号を受信できたと判定された場合（ステップＳ０１、ＹＥＳ）、演算部２６は、４つのＧＰＳ衛星から受信した電波信号に含まれる時刻情報に基づいて計時部２４の時刻を補正する（ステップＳ０２）。一方、ステップＳ０１において、受信部２２により４つ以上のＧＰＳ衛星からの電波信号を受信できていないと判定された場合（ステップＳ０１、ＮＯ）、ステップＳ０５へ進む。
【００４６】
ステップＳ０２に続いて、ＧＰＳ受信機２０は、計時部２４における時刻と受信部２２が現在何個のＧＰＳ衛星から電波信号を受信しているかを示す受信レベル情報を、所定時間毎（例えば、１秒毎）に制御部１２へ出力するので、ステップＳ０２において演算部２６により補正された直後の時刻が制御部１２へ出力される。制御部１２は、受信した受信レベル情報に基づいて、計時部２４の時刻が４つのＧＰＳ衛星から電波信号を受信したときの時刻であると判別し、その時刻を時刻記憶部３０に記憶させることで経過時間Ｘの測定を開始する（ステップＳ０３）。
【００４７】
そして、制御部１２は、受信した計時部２４の現在時刻を表示時刻の信頼性が低下していないことをユーザが視認できる表示態様１で表示部３２表示させる（ステップＳ０４）。ここで、表示態様１は、図３（ａ１）に示すように、現在時刻『０８：３０』の下に『ＧＰＳ』という文字を合わせて表示させる。また、図３（ａ２）に示すように、現在時刻『０８：３０』に囲い線を表示させたり、図３（ａ３）に示すように、現在時刻『０８：３０』の文字の種類や大きさを変更させたりしてもよい。
【００４８】
次いで、制御部１２は、ＧＰＳ受信機２０から定期的に出力される計時部２４の時刻（すなわち、現在時刻）と、時刻記憶部３０に記憶されている時刻を比較することで、計時部２４の時刻補正を行ってからの経過時間Ｘが所定時間以上になったか否かを判定する（ステップＳ０５）。
【００４９】
経過時間Ｘが所定時間以上になったと判定された場合（ステップＳ０５、ＹＥＳ）、制御部１２は、計時部２４の時刻の信頼性が低くなったと判定してＧＰＳ受信機２０から定期的に出力された計時部２４の現在時刻を表示部３２に表示する際に、表示時刻の信頼性が低下していることをユーザが視認できる表示態様２に変更して表示させる（ステップＳ０６）。ここで、表示態様２は、図３（ｂ１）に示すように、現在時刻『０８：３０』を通常の黒文字とは異なる色の文字（図面では網目文字で表現）に変更して表示させる。また、図３（ｂ２）に示すように、現在時刻『０８：３０』にした下線を表示させたり、図３（ｂ３）に示すように、現在時刻『０８：３０』の下に『非時刻補正』という文字を合わせて表示させたりしてもよい。
【００５０】
一方、ステップＳ０５において、経過時間Ｘが所定時間以上に達していないと判定された場合（ステップＳ０５、ＮＯ）、制御部１２は、受信した計時部２４の現在時刻を表示態様１のままで表示部３２表示させてステップＳ０７へ進む。
【００５１】
制御部１２は、ナビゲーション装置１０の電源がオフされたか否かを判定する（ステップＳ０７）。電源オフされたと判定された場合（ステップＳ０７、ＹＥＳ）、制御部１２は処理を終了し、電源オフされていないと判定された場合（ステップＳ０７、ＮＯ）、ステップＳ０１へ戻り処理を繰り返す。
【００５２】
以上説明したように、実施例１にかかるナビゲーション装置によれば、最後に時刻補正を行なってから所定時間以上経過すると、表示時刻に誤差が含まれている可能性があるため、表示時刻の表示様態を通常の表示態様から変更することで、ユーザに対して表示時刻に誤差が含まれている可能性があることを認識させることができる。
【００５３】
なお、上記実施例では、最後に時刻補正を行なってから所定時間以上経過したか否かを判定する一例として、時間計測のための時刻記憶部３０を用いた場合について説明したが、本発明はこれに限らず、時間計測のためのタイマーを用いてもよい。この場合、時刻記憶部３０は不要となり、制御部１２は、４つのＧＰＳ衛星から電波信号を受信しているときの計時部２４の時刻をＧＰＳ受信機２０から受信したときからタイマーをスタートさせ、このタイマーにより計測される時間を経過時間Ｘとする。なお、タイマーは４つ以上のＧＰＳ衛星から電波信号を受信した場合リセットされる。
【００５４】
また、上記実施例では、ＧＰＳ受信機２０から定期的に出力された計時部２４の時刻が補正された時刻であると判定する一例として、ＧＰＳ受信機２０から計時部２４の時刻とともに出力される受信レベル情報に基づき、４つのＧＰＳ衛星から電波信号を受信しているときの時刻を補正された時刻と判定する場合について説明したが、本発明はこれに限らず、ＧＰＳ受信機２０から定期的に出力された計時部２４の時刻とともに時刻補正を行なった時刻を示す識別情報を受信できる場合は、制御部１２は、その識別情報を受信したときの時刻を補正された時刻と判定し、時刻記憶部３０に記憶させるようにしてもよい。
【００５５】
さらに、ナビゲーション装置１０内（但し、ＧＰＳ受信機２０の外部）にもう１つ時計を設け、その時計をＧＰＳ受信機２０から出力される時刻に補正するように構成してもよい。この場合、制御部１２は、ナビゲーション装置内の時計とＧＰＳ受信機２０から出力される時刻とが大きく異なる場合に時刻補正がなされたと判定し、そのときの時刻を時刻記憶部３０に記憶すればよい。
【実施例２】
【００５６】
上記実施例１においては、ナビゲーション装置１０において時刻を表示する構成を説明したが、ＧＰＳ受信機に時刻表示機能を備える構成であってもよい。図４は、本発明の実施例２にかかるＧＰＳ受信機２０’の要部構成を示す図であり、ＧＰＳ受信機が時計記憶部３０や表示部３２を備えたものである。
【００５７】
図４に示すＧＰＳ受信機２０’において、実施例１のナビゲーション装置１０（図１参照）のＧＰＳ受信機２０と異なる点は、図１のＧＰＳ受信機２０ における演算部２６に代わりに演算部２６’（請求項の制御部に相当）を備え、図１のＧＰＳ受信機２０の構成要素である受信部２２、計時部２４およびアンテナ２８に加えて時刻記憶部３０、表示部３２、画像データ記憶部３４を備えた点である。演算部２６’を除いた、その他の各構成要素は、図１に示すナビゲーション装置１０の構成と同様であり、同一の構成要素には同一の参照符号を付し、その説明は重複するため省略する。
【００５８】
演算部２６’は、図１のＧＰＳ受信機２０ における演算部２６と制御部１２の機能を兼ね備えた構成となっている。すなわち、演算部２６’は、受信部２２により受信された電波信号に含まれている時刻情報に基づき、計時部２４を補正し、補正した時刻を時刻記憶部３０に記憶させる。
【００５９】
そして、演算部２６’は、計時部２４の時刻と、時刻記憶部３０に記憶されている時刻を比較することで、最後に４つのＧＰＳ衛星から電波信号を受信したときからの経過時間Ｘを算出する。
【００６０】
さらに、演算部２６’は、経過時間Ｘが所定時間に達していないと、計時部２４の時刻の信頼性が低下したとは判定せずに計時部２４の時刻を表示部３２に表示する際に、表示時刻の信頼性が低下していないことをユーザが視認できる表示態様で表示させる。一方、経過時間Ｘが所定時間以上になると、計時部２４の時刻の信頼性が低くなったと判定して計時部２４の時刻を表示部３２に表示する際に、表示時刻の信頼性が低下していることをユーザが視認できる表示態様に変更して表示させる。
以上説明したように、実施例２にかかるＧＰＳ受信機によれば、最後に時刻補正を行なってから所定時間以上経過すると、表示時刻に誤差が含まれている可能性があるため、表示時刻の表示様態を通常の表示態様から変更することで、ユーザに対して表示時刻に誤差が含まれている可能性があることを認識させることができる。
【符号の説明】
【００６１】
１０・・・ナビゲーション装置
１２・・・制御部
２０、２０’・・・ＧＰＳ受信機
２２・・・受信部
２４・・・計時部
２６、２６’・・・演算部
２８・・・アンテナ
３０・・・時刻記憶部
３２・・・表示部
３４・・・画像データ記憶部
３６・・・現在位置検出部
３８・・・経路探索部
４０・・・操作部
４２・・・地図記憶部
【図１】
2012112888.tif 000003
【図２】
2012112888.tif 000004
【図３】
2012112888.tif 000005
【図４】
2012112888.tif 000006